【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
データセキュリティシステムの動作方法であって、
無線通信用の装置送受信機を有するワイヤレス装置に、前記ワイヤレス装置上で実行されてストレージサブシステム及び無線通信用のデータセキュリティ送受信器を有する前記データセキュリティシステムとの接続状態を管理するためのデータセキュリティシステムアプリケーションを提供する工程と、
サーバによって認証される認証対象のユーザからの認証情報を前記データセキュリティシステムアプリケーションによって受信する工程と、
前記データセキュリティシステムアプリケーションによってかつ前記サーバから、前記認証情報に基づく前記ユーザの認証を要求する工程と、
前記サーバが前記ユーザを成功裏に認証したのに応答して、前記データセキュリティシステムアプリケーションによってかつ前記サーバから、前記ユーザによって前記データセキュリティシステムアプリケーションに提供された個人用識別番号に基づく前記データセキュリティシステムのアンロックを要求する工程であって、前記アンロックが、前記データセキュリティ送受信器と前記装置送受信機との間の無線接続を介して前記ワイヤレス装置から前記データセキュリティシステムに通信される、前記アンロックを要求する工程と、
前記サーバがアンロック信号を前記データセキュリティシステムアプリケーションに提供すると、前記ワイヤレス装置から前記データセキュリティシステムへの接続状態をアンロックし前記ワイヤレス装置から前記データセキュリティシステムの前記ストレージサブシステムへのアクセスを可能にする工程とを備えることを特徴とする、データセキュリティシステムの動作方法。
【請求項２】
前記ワイヤレス装置に対する前記無線接続の信号強度測定値に基づき前記データセキュリティシステムが前記ワイヤレス装置から近接範囲内にあるときに前記接続状態を維持する工程をさらに備える、請求項１に記載の動作方法。
【請求項３】
所定の期間についての前記ワイヤレス装置に対する前記無線接続の信号強度測定値に基づき前記データセキュリティシステムが前記ワイヤレス装置から近接範囲内にあるときに前記接続状態を維持する工程をさらに備える、請求項１に記載の動作方法。
【請求項４】
前記接続状態は、前記データセキュリティシステムと前記ワイヤレス装置との間の双方向通信を含む、請求項１に記載の動作方法。
【請求項５】
前記接続状態は、前記データセキュリティシステムと前記ワイヤレス装置との間の単方向通信を含む、請求項１に記載の動作方法。
【請求項６】
前記サーバは、ユーザ認証情報を有するユーザ管理データベースを含む、請求項１に記載の動作方法。
【請求項７】
前記データセキュリティシステムへのアクセスをコントロールするためのセキュリティコントローラを前記データセキュリティシステムに設ける工程をさらに備える、請求項１に記載の動作方法。
【請求項８】
前記データセキュリティシステムのアンロックを要求する工程は、
前記データセキュリティシステムの識別情報を前記サーバに提供し、
前記データセキュリティシステムの前記識別情報が前記サーバにおいて有効である場合に前記データセキュリティシステムをアンロックすることをさらに備える、請求項１に記載の動作方法。
【請求項９】
前記ワイヤレス装置に前記データセキュリティシステムアプリケーションを提供する工程は、
データセキュリティシステム管理者アプリケーションを提供し、
前記ワイヤレス装置に管理者パスワードを設定し、
前記管理者パスワードを前記ワイヤレス装置から前記データセキュリティシステムに送信し、
前記データセキュリティシステムに前記管理者パスワードを設定し、前記データセキュリティシステムをアンロックすることをさらに含む、請求項１に記載の動作方法。
【請求項１０】
前記データセキュリティシステムのアンロックを要求する工程は、
前記ワイヤレス装置から前記データセキュリティシステムに装置識別情報と共にアンロック要求を提供し、
前記データセキュリティシステムにおいて前記アンロック要求を受信し前記データセキュリティシステムをアンロックすることをさらに備える、請求項１に記載の動作方法。
【請求項１１】
前記認証情報は、ユーザ名またはパスワードまたはそれらの組み合わせを含む、請求項１に記載の動作方法。
【請求項１２】
前記データセキュリティシステムのアンロックを要求する工程は、
前記ワイヤレス装置から前記サーバに前記個人用識別番号を送信し、
前記ワイヤレス装置から前記個人用識別番号を受信した後、前記サーバによって、前記個人用識別番号が有効であるときを判定し、
前記サーバが前記個人用識別番号が有効であると判定した場合に、前記ワイヤレス装置を介して前記データセキュリティシステムをアンロックすることをさらに備える、請求項１に記載の動作方法。
【請求項１３】
前記ワイヤレス装置の有効位置をサーバに提供する工程と、
前記ワイヤレス装置が前記有効位置にあるときを前記サーバによって判定する工程と、
前記ワイヤレス装置が前記有効位置にあると前記サーバが判定したときに、前記ワイヤレス装置を介して前記データセキュリティシステムをアンロックする工程とをさらに備える、請求項１に記載の動作方法。
【請求項１４】
前記ワイヤレス装置における現在時刻を判定する工程と、
前記現在時刻を前記サーバに送信する工程と、
前記現在時刻が所定の時間範囲内にあるかどうかを判定するための条件を、前記サーバによってチェックする工程と、
前記ワイヤレス装置が前記所定の時間範囲内にあると前記サーバが判定した場合に、前記ワイヤレス装置を介して前記データセキュリティシステムをアンロックする工程とをさらに備える、請求項１に記載の動作方法。
【請求項１５】
前記サーバにコマンドを設ける工程と、
前記ワイヤレス装置からのコマンド待機信号に応答して前記サーバから前記ワイヤレス装置に前記コマンドを提供する工程と、
前記コマンドが前記サーバから提供されたときに、前記ワイヤレス装置を介して前記データセキュリティシステムにおいて前記コマンドを実行する工程とをさらに備える請求項１に記載の動作方法。
【請求項１６】
前記サーバにパスワード変更コマンドを設ける工程と、
前記ワイヤレス装置からのパスワード変更信号に応答して、前記サーバから前記ワイヤレス装置に前記パスワード変更コマンドを提供する工程と、
変更後パスワードコマンドで前記データセキュリティシステムをアンロックする工程とをさらに備える請求項１に記載の動作方法。
【請求項１７】
前記データセキュリティシステムを当該データセキュリティシステムに電力供給するためにホストコンピュータに接続し、前記データセキュリティシステムを前記ホストコンピュータによって発見可能にすることをさらに備える、請求項１に記載の動作方法。
【請求項１８】
前記ワイヤレス装置から前記データセキュリティシステムの前記ストレージサブシステムへのアクセスは、前記無線通信から分離した外部通信チャネル上で行われる、請求項１に記載の動作方法。
【請求項１９】
データセキュリティシステムであって、
ワイヤレスデータセキュリティ送受信器または受信器と、
前記ワイヤレスデータセキュリティ送受信器または受信器に動作可能に接続された認証サブシステムと、
前記認証サブシステムに接続されたストレージサブシステムと
を備え、
前記認証サブシステムは、前記ワイヤレスデータセキュリティ送受信器または受信器を介して、ワイヤレス装置にあるデータセキュリティシステムアプリケーションと通信するように構成されており、
前記データセキュリティシステムアプリケーションは、ユーザによって提供された認証情報に基づき前記ユーザの認証を、サーバから、要求するように構成されており、
前記サーバによる前記ユーザの認証に応答して、前記データセキュリティシステムアプリケーションは、前記ユーザによって提供され前記ワイヤレスデータセキュリティ送受信器または受信器を介して前記ワイヤレス装置から前記データセキュリティシステムに送信された個人用識別番号に基づき前記データセキュリティシステムのアンロックを、前記サーバから、要求するように構成されており、
前記サーバが前記ワイヤレス装置にアンロック信号を提供したのに応答して、前記ワイヤレス装置は、前記アンロック信号を前記データセキュリティシステムに提供して前記ワイヤレス装置から前記データセキュリティシステムへの接続状態をアンロックするとともに前記ワイヤレス装置から前記データセキュリティシステムの前記ストレージサブシステムへのアクセスを可能にする、データセキュリティシステム。
【請求項２０】
前記ワイヤレスデータセキュリティ送受信器または受信器および前記認証サブシステムに接続されたセキュリティコントローラをさらに備える請求項１９に記載のデータセキュリティシステム。
【請求項２１】
前記データセキュリティシステムアプリケーションは、前記ワイヤレス装置に対する無線接続の信号強度測定値に基づき前記データセキュリティシステムが前記ワイヤレス装置から近接範囲内にあるときに接続状態を維持するためのものである、請求項１９に記載のデータセキュリティシステム。
【請求項２２】
前記データセキュリティシステムは、前記データセキュリティシステムが前記ワイヤレス装置から近接範囲内にあるときに接続状態を維持するために、及び、所定期間にわたってデータ読み出し動作またはデータ書き込み動作がないときに前記データセキュリティシステムをロックするために、前記セキュリティコントローラと通信する、請求項１９に記載のデータセキュリティシステム。
【請求項２３】
前記データセキュリティシステムと前記ワイヤレス装置との間の無線通信が双方向通信を含む、請求項１９に記載のデータセキュリティシステム。
【請求項２４】
前記データセキュリティシステムと前記ワイヤレス装置との間の無線通信が単方向通信を含む、請求項１９に記載のデータセキュリティシステム。
【請求項２５】
ホストコンピュータと接続するための外部通信チャネルをさらに備える、請求項１９に記載のデータセキュリティシステム。
【手続補正２】
【補正対象書類名】明細書
【補正対象項目名】００３４
【補正方法】変更
【補正の内容】
【００３４】
一認証システムでは、モバイル送受信器３０２を使用して、ユーザ識別情報３０４を認証サブシステム３１０内のデータセキュリティ送受信器３０６に送信する。例示目的で、双方向通信の柔軟性のために複数の送受信器を使用しているが、単方向通信用の送受信機の組み合わせも使用できる。認証サブシステム３１０は、ストレージサブシステム１０６内のインターフェースコントローラ１０８に接続された認証コントローラ１１４を含む。ユーザ識別情報３０４は、データセキュリティシステム３００のストレージサブシステム１０６の外部からモバイルトランシーバ３０２によって認証サブシステム３１０内のデータセキュリティ送受信器３０６に供給される。無線通信は、ワイファイ（ＷｉＦｉ）、ブルートゥース（ＢＴ（登録商標））、ブルートゥーススマート、近距離通信（ＮＦＣ）、全地球測位システム（ＧＰＳ）、光、セルラー通信（例えば、ＬＴＥ−Ａ）、符号分割多元接続（ＣＤＭＡ）、広帯域符号分割多元接続（ＷＣＤＭＡ（登録商標））、ユニバーサル移動体通信システム（ＵＭＴＳ）、無線ブロードバンド（ＷｉＢｒｏ）、または移動通信用グローバルシステム（ＧＳＭ（登録商標））等を含むことができる。